(57)【要約】【課題】ベースと透光性キャップとの密閉を完全なものとして、防水性に非常に優れたＬＥＤランプを提供する。【解決手段】筒状体としたベース１の上端周囲に周溝９を形成し、この周溝９にリング状のパッキン１０を収容し、透光性キャップ３の下端周囲に前記ベース１の周溝９に入り込むようにしたリング状の第一突条１１ａを形成し、前記ベース１の周溝９に収容されたパッキン１０に、透光性キャップ３の第一突条１１ａを押圧させて、このパッキン１０を押し潰すようにして、パッキン１０と第一突条１１ａを密着させ、さらに前記透光性キャップ３の端面３ａを、前記ベース１の端面１ｂに接着させることにより、ベース１に透光性キャップ３を固着したものとしている。【選択図面】図２
2007207576.tif 000002
【特許請求の範囲】
【請求項１】
筒状体としたベース（１）の上端周囲に周溝（９）を形成し、この周溝（９）にリング状のパッキン（１０）を収容し、透光性キャップ（３）の下端周囲に前記ベース（１）の周溝（９）に入り込むようにしたリング状の第一突条（１１ａ）を形成し、前記ベース（１）の周溝（９）に収容されたパッキン（１０）に、透光性キャップ（３）の第一突条（１１ａ）を押圧させて、このパッキン（１０）を押し潰すようにして、パッキン（１０）と第一突条（１１ａ）を密着させ、さらに前記透光性キャップ（３）の端面（３ａ）を、前記ベース（１）の端面（１ｂ）に接着させることにより、ベース（１）に透光性キャップ（３）を固着したことを特徴とするＬＥＤランプ。
【請求項２】
透光性キャップ（３）の下端周囲に周溝（９）を形成し、この周溝（９）にリング状のパッキン（１０）を収容し、筒状体としたベース（１）の上端周囲に前記透光性キャップ（３）の周溝（９）に入り込むようにしたリング状の第一突条（１１ａ）を形成し、前記透光性キャップ（３）の周溝（９）に収容されたパッキン（１０）に、ベース（１）の第一突条（１１ａ）を押圧させて、このパッキン（１０）を押し潰すようにして、パッキン（１０）と第一突条（１１ａ）を密着させ、さらに前記透光性キャップ（３）の端面（３ａ）を、前記ベース（１）の端面（１ｂ）に接着させることにより、ベース（１）に透光性キャップ（３）を固着したことを特徴とするＬＥＤランプ。
【請求項３】
前記透光性キャップ（３）の端面（３ａ）に、前記第一突条（１１ａ）より小径としたリング状の第二突条（１１ｂ）を形成し、この第二突条（１１ｂ）を溶融させて、ベース（１）の端面（１ｂ）に溶着することにより、前記透光性キャップ（３）の端面（３ａ）をベース（１）の端面（１ｂ）に接着させたことを特徴とする請求項１記載のＬＥＤランプ。
【請求項４】
前記ベース（１）の端面（１ｂ）に、前記第一突条（１１ａ）より小径としたリング状の第二突条（１１ｂ）を形成し、この第二突条（１１ｂ）を溶融させて、透光性キャップ（３）の端面（３ａ）に溶着することにより、前記透光性キャップ（３）の端面（３ａ）をベース（１）の端面（１ｂ）に接着させたことを特徴とする請求項２記載のＬＥＤランプ。
【請求項５】
前記パッキン（１０）の縦断面形状を、上部を下部より窄めた形状にし、このパッキン（１０）が、透光性キャップ（３）の第一突条（１１ａ）に押圧され、押し潰されてベース（１）の周溝（９）に密着し易くなると共に、この第一突条（１１ａ）に密着し易くなるものとしたことを特徴とする請求項１または３記載のＬＥＤランプ。
【請求項６】
前記パッキン（１０）の縦断面形状を、下部を上部より窄めた形状にし、このパッキン（１０）が、ベース（１）の第一突条（１１ａ）に押圧され、押し潰されて透光性キャップ（３）の周溝（９）に密着し易くなると共に、この第一突条（１１ａ）に密着し易くなるものとしたことを特徴とする請求項２または４記載のＬＥＤランプ。
【請求項７】
前記ベース（１）を樹脂成形して、収容空間（６）を形成すると共に、底部（１ａ）に凹部（１２）を形成し、電源導入部とする二本の金属棒（５ａ、５ｂ）の上端が前記収容空間（６）に突き出るようにし、前記金属棒（５ａ、５ｂ）の下端が前記凹部（１２）に突き出るようにし、さらに前記凹部（１２）に弾性樹脂（１３）を流し込み、金属棒（５ａ、５ｂ）の突き出ている根元部を前記弾性樹脂（１３）で固めたことを特徴とする請求項１〜６のいずれかに記載のＬＥＤランプ。
【発明の詳細な説明】
【技術分野】
【０００１】
この発明は、道路工事現場、建築作業現場等の標識、店舗、駐車場等の看板、遊園地等の遊技施設の電飾などに使用されるＬＥＤランプに関するものである。
【背景技術】
【０００２】
従来、この種のＬＥＤランプとしては、例えば図１１に示したように、軟質合成樹脂材よりなるベース２１、プリント配線基板２２、硬質合成樹脂材よりなる光拡散性キャップ２３、電線コード２４ａ、２４ｂ、ＬＥＤ発光体２５などから成るものが存在する。
【０００３】
このＬＥＤランプは、ベース２１の内部にプリント配線基板２２を定着保持するには、プリント配線基板２２に電源コード２４ａ、２４ｂを半田付け接続し、これをベース２１の成形金型にセットし、樹脂を注入してベース２１を成形することで、プリント配線基板２２を一体に収容保持している。
【０００４】
さらに、このＬＥＤランプは、ベース２１の上方に突出するキャップ挿入口２１ａを、上端側の内径を光拡散性キャップ２３の外径より僅かに小さく形成し、キャップを挿入装着する時、上端開口部を拡開しながら挿入し、挿入した後は光拡散性キャップ２３の外周面に密着させて防水性を発揮するように構成している（特許文献１）。
【特許文献１】特開２００３−１０９４０３号公報（第３頁、図１）
【発明の開示】
【発明が解決しようとする課題】
【０００５】
上記従来のＬＥＤランプでは、軟質合成樹脂材よりなるベース２１の弾力性を利用して、そのベース２１の上方に突出するキャップ挿入口２１ａを、硬質合成樹脂材よりなる光拡散性キャップ２３の外周面に密着させて防水性を発揮するようにしているが、キャップ挿入口２１ａと光拡散性キャップ２３の外周面の接触による密着度のみに頼っているので、これによる密閉は完全とはいえず、防水性に劣るという問題点を有していた。
【０００６】
また、上記従来のＬＥＤランプでは、ベース２１と電源コード２４ａ、２４ｂとを、ベース２１の樹脂成形時に密着させたものとしているが、その樹脂成形時に特に工夫を凝らしていないので、これによる密閉は完全とはいえず、防水性に劣るという問題点を有していた。
【０００７】
そこで、この発明は、上記従来の問題点を解決することをその課題としており、ベースとキャップとの密閉を完全なものとして、防水性に非常に優れたＬＥＤランプを提供することを目的としてなされたものである。
【０００８】
さらに、この発明は、ベースと電源コード等の電源導入部との密閉をも完全なものとして、防水性に非常に優れたＬＥＤランプを提供することを目的としてなされたものである。
【課題を解決するための手段】
【０００９】
そのため、この発明のＬＥＤランプは、筒状体としたベース１の上端周囲に周溝９を形成し、この周溝９にリング状のパッキン１０を収容し、透光性キャップ３の下端周囲に前記ベース１の周溝９に入り込むようにしたリング状の第一突条１１ａを形成し、前記ベース１の周溝９に収容されたパッキン１０に、透光性キャップ３の第一突条１１ａを押圧させて、このパッキン１０を押し潰すようにして、パッキン１０と第一突条１１ａを密着させ、さらに前記透光性キャップ３の端面３ａを、前記ベース１の端面１ｂに接着させることにより、ベース１に透光性キャップ３を固着したものとしている。
【００１０】
さらに、この発明のＬＥＤランプは、透光性キャップ３の下端周囲に周溝９を形成し、この周溝９にリング状のパッキン１０を収容し、筒状体としたベース１の上端周囲に前記透光性キャップ３の周溝９に入り込むようにしたリング状の第一突条１１ａを形成し、前記透光性キャップ３の周溝９に収容されたパッキン１０に、ベース１の第一突条１１ａを押圧させて、このパッキン１０を押し潰すようにして、パッキン１０と第一突条１１ａを密着させ、さらに前記透光性キャップ３の端面３ａを、前記ベース１の端面１ｂに接着させることにより、ベース１に透光性キャップ３を固着したものとしている。
【００１１】
また、この発明のＬＥＤランプは、前記透光性キャップ３の端面３ａに、前記第一突条１１ａより小径としたリング状の第二突条１１ｂを形成し、この第二突条１１ｂを溶融させて、ベース１の端面１ｂに溶着することにより、前記透光性キャップ３の端面３ａをベース１の端面１ｂに接着させたものとしている。
【００１２】
さらに、この発明のＬＥＤランプは、前記ベース１の端面１ｂに、前記第一突条１１ａより小径としたリング状の第二突条１１ｂを形成し、この第二突条１１ｂを溶融させて、透光性キャップ３の端面３ａに溶着することにより、前記透光性キャップ３の端面３ａをベース１の端面１ｂに接着させたものとしている。
【００１３】
また、この発明のＬＥＤランプは、前記パッキン１０の縦断面形状を、上部を下部より窄めた形状にし、このパッキン１０が、透光性キャップ３の第一突条１１ａに押圧され、押し潰されてベース１の周溝９に密着し易くなると共に、この第一突条１１ａに密着し易くなるものとしている。
【００１４】
さらに、この発明のＬＥＤランプは、前記パッキン１０の縦断面形状を、下部を上部より窄めた形状にし、このパッキン１０が、ベース１の第一突条１１ａに押圧され、押し潰されて透光性キャップ３の周溝９に密着し易くなると共に、この第一突条１１ａに密着し易くなるものとしている。
【００１５】
また、この発明のＬＥＤランプは、前記ベース１を樹脂成形して、収容空間６を形成すると共に、底部１ａに凹部１２を形成し、電源導入部とする二本の金属棒５ａ、５ｂの上端が前記収容空間６に突き出るようにし、前記金属棒５ａ、５ｂの下端が前記凹部１２に突き出るようにし、さらに前記凹部１２に弾性樹脂１３を流し込み、金属棒５ａ、５ｂの突き出ている根元部を前記弾性樹脂１３で固めたものとしている。
【発明の効果】
【００１６】
この発明のＬＥＤランプは、以上に述べたように構成されているので、ベースと透光性キャップとの密閉が完全なものとなり、防水性に非常に優れたものとなった。
【００１７】
さらに、この発明のＬＥＤランプは、ベースと電源コード等の電源導入部との密閉も完全なものとなり、防水性に非常に優れたものとなった。
【発明を実施するための最良の形態】
【００１８】
以下、この発明のＬＥＤランプを実施するための最良の形態を、図面に基づいて詳細に説明する。
【００１９】
この発明のＬＥＤランプは、図１、２に示したように、ベース１、プリント配線基板２、透光性キャップ３、ＬＥＤ発光体４、金属棒５ａ、５ｂなどから成る。
【００２０】
ベース１は、硬質合成樹脂材よりなる有底の筒状体としており、内部には収容空間６を有しており、底部１ａの外周にはネジ山を形成した口金７を固着したものとしている。プリント配線基板２は、図示していないがサイリスタやコンデンサなどが搭載されている。透光性キャップ３は、例えば硬質合成樹脂材よりなる略半球体としており、透光性であれば特に限定されることはなく、透明、半透明、乳白色等としたり、しかも光拡散性を有するもの等とすることができる。ＬＥＤ発光体４は、単数または多数個からなるものとし、多数個からなる場合には集合型ＬＥＤ発光体としている。金属棒５ａ、５ｂは、電源導入部としており、それぞれの外周面にきざみ目８を付けたものとしている。なお、前記ベース１の底部１ａに固着した口金７は、図示したものでは外周にネジ山を形成したものとしているが、さまざまなタイプの口金とすることができるのは言うまでもない。
【００２１】
ベース１には、収容空間６にプリント配線基板２が収容されており、このプリント配線基板２がベース１に固着され、収容空間６から突き出すようにしてＬＥＤ発光体４がこのベース１に固着されている。そして、このＬＥＤ発光体４を覆うようにして、ベース１に透光性キャップ３が、以下のようにして固着されている。
【００２２】
先ず、図３、４に示したように、ベース１の筒状体の上端周囲には周溝９を形成したものとし、この周溝９にリング状のパッキン１０を収容し、透光性キャップ３の略半球の下端周囲には前記ベース１の周溝９に入り込むようにしたリング状の第一突条１１ａを形成したものとする。そして、図５、６に示したように、ベース１の周溝９に収容されたパッキン１０に、透光性キャップ３の第一突条１１ａを押圧させて、このパッキン１０を押し潰すようにして、パッキン１０と第一突条１１ａを密着させ、さらに前記透光性キャップ３の端面３ａを、前記ベース１の端面１ｂに接着させることにより、ベース１に透光性キャップ３を固着したものとしている。
【００２３】
また、図には示していないが、透光性キャップ３の略半球体の下端周囲には周溝９を形成したものとし、この周溝９にリング状のパッキン１０を収容し、ベース１の筒状体の上端周囲には前記透光性キャップ３の周溝９に入り込むようにしたリング状の第一突条１１ａを形成したものとする。そして、透光性キャップ３の周溝９に収容されたパッキン１０に、ベース１の第一突条１１ａを押圧させて、このパッキン１０を押し潰すようにして、パッキン１０と第一突条１１ａを密着させ、さらに前記透光性キャップ３の端面３ａを、前記ベース１の端面１ｂに接着させることにより、ベース１に透光性キャップ３を固着したものとしている。
【００２４】
なお、前記ベース１または透光性キャップ３の周溝９の縦断面形状は、四角形状、角を丸めた四角形状など特に限定しないが、ベース１の周溝９に収容するパッキン１０の縦断面形状は、上部を下部より窄めた形状、すなわち正三角形や二等辺三角形、角を丸めた正三角形や二等辺三角形、等脚台形、角を丸めた等脚台形などとするのが好ましく、透光性キャップ３の周溝９に収容するパッキン１０の縦断面形状は、下部を上部より窄めた形状、すなわち逆正三角形や逆二等辺三角形、角を丸めた逆正三角形や逆二等辺三角形、転倒等脚台形、角を丸めた転倒等脚台形などとするのが好ましい。また、前記ベース１または透光性キャップ３の第一突条１１ａの縦断面形状は、四角形状、角を丸めた四角形状など特に限定しないが、ベース１の第一突条１１ａの縦断面形状は、上部を下部より窄めた形状、すなわち三角形や二等辺三角形、角を丸めた三角形や二等辺三角形、等脚台形、角を丸めた等脚台形などとするのが好ましく、透光性キャップ３の第一突条１１ａの縦断面形状は、下部を上部より窄めた形状、すなわち逆三角形や逆二等辺三角形、角を丸めた逆三角形や逆二等辺三角形、転倒等脚台形、角を丸めた転倒等脚台形などとするのが好ましい。このようにすると、前記ベース１または透光性キャップの周溝９に収容されたパッキン１０が、ベース１または透光性キャップ３の第一突条１１ａを押圧されると、押し潰されてベース１または透光性キャップの周溝９に密着し易くなると共に、この第一突条１１ａに密着し易くなる。
【００２５】
さらに、前記透光性キャップ３の端面３ａを、前記ベース１の端面１ｂに接着させるには、第一突条１１ａまたは周溝９の内側に位置する透光性キャップ３の端面３ａを、第一突条１１ａまたは周溝９の内側に位置するベース１の端面１ｂに接着剤を用いたり、熱溶着によったり、第一突条１１ａまたは周溝９の外側に位置する透光性キャップ３の端面３ａを、第一突条１１ａまたは周溝９の外側に位置するベース１の端面１ｂに接着剤を用いたり、熱溶着によったりして、接着させるものとしている。熱溶着による場合には、透光性キャップ３の端面３ａに、図５に示したように前記第一突条１１ａより小径としたリング状の第二突条１１ｂを形成したり、図６に示したように前記第一突条１１ａより大径としたリング状の第二突条１１ｂを形成して、この第二突条１１ｂを超音波等で溶融させて、図７、８に示したように、ベース１の端面１ｂに溶着させるものとしている。また、ベース１の端面１ｂに、図には示していないが前記第一突条１１ａより小径としたリング状の第二突条１１ｂを形成したり、前記第一突条１１ａより大径としたリング状の第二突条１１ｂを形成して、この第二突条１１ｂを超音波等で溶融させて、透光性キャップ３の端面３ａに溶着させるものとしている。
【００２６】
なお、雨水からの防水性を保つ場合には、前記第一突条１１ａの内側に位置するベース１の端面１ｂまたは透光性キャップ３の端面３ａを、周溝９の内側に位置するベース１の端面１ｂまたは透光性キャップ３に接着剤で接着させたり、熱溶着させるほうが良い。なぜなら、大気中の化学物質を含んだ雨が降った場合には、その雨が染み込んで接着剤が溶かされたり、熱溶着が弱められたりするので、前記接着部分が第一突条１１ａの内側、すなわちパッキン１０の内側にある方が、これらの密着部分によって接着部分への前記雨の染み込みが先に防がれるからである。
【００２７】
さらに、ベース１には、電源導入部とした前記二本の金属棒５ａ、５ｂが底部１ａに、以下のようにして固着されている。
【００２８】
先ず、ベース１を樹脂成形するときに、インサート成形、すなわち金型内に二本の金属棒５ａ、５ｂを装填した後、樹脂を注入して固化させるようにし、図９、１０に示したように、これら金属棒５ａ、５ｂをベース１の底部１ａに一体化させる。このとき、ベース１には、前記収容空間６を形成すると共に、底部１ａに凹部１２を形成し、前記二本の金属棒５ａ、５ｂの上端が収容空間６に突き出るようにし、金属棒５ａ、５ｂの下端が凹部１２に突き出るようにする。そして、前記凹部１２にシリコンなどの弾性樹脂１３を流し込み、金属棒５ａ、５ｂの突き出ている根元部をこの弾性樹脂１３で固めるようにしている。
【００２９】
なお、前記プリント配線基板２の端子とＬＥＤ発光体４の端子、プリント配線基板２の端子と金属棒５ａ、５ｂの上端、金属棒５ａの下端と口金７、および金属棒５ｂの下端とアウトレット１４は、図示していないが、それぞれリード線等（図示せず）により電気接続されている。
【００３０】
以上のように構成されたこの発明のＬＥＤランプは、前記したようにベース１の周溝９に収容されたパッキン１０が、透光性キャップ３の第一突条１１ａを押圧され、押し潰されてベース１の周溝９に密着すると共に、この第一突条１１ａに密着するので、ベース１と透光性キャップ３との密閉が完全なものとなり、防水性に優れたものとなる。
【００３１】
また、この発明のＬＥＤランプは、前記したように透光性キャップ３の周溝９に収容されたパッキン１０が、ベース１の第一突条１１ａを押圧され、押し潰されて透光性キャップ３の周溝９に密着すると共に、この第一突条１１ａに密着するので、ベース１と透光性キャップ３との密閉が完全なものとなり、防水性に優れたものとなる。
【００３２】
さらに、この発明のＬＥＤランプは、前記したようにベース１を樹脂成形するときに、金属棒５ａ、５ｂをベース１の底部１ａに一体化させ、さらに底部１ａに凹部１２に突き出した金属棒５ａ、５ｂの根元部を弾性樹脂１３で固めているので、ベース１と電源導入部であるこれら金属棒５ａ、５ｂとの密閉が完全なものとなり、防水性に優れたものとなる。なお、前記金属棒５ａ、５ｂの外周面には、きざみ目８を付けたものとしているので、樹脂成形するときに、このきざみ目８に樹脂が入り込み、ベース１の底部１ａに金属棒５ａ、５ｂを堅固に固着しておくことができる。
【図面の簡単な説明】
【００３３】
【図１】この発明のＬＥＤランプの一実施形態を示す正面図である。
【図２】この発明のＬＥＤランプの断面図である。
【図３】この発明のＬＥＤランプの透光性キャップの斜め下方から見た斜視図である。
【図４】この発明のＬＥＤランプのベースを斜め上方から見た斜視図である。
【図５】この発明のＬＥＤランプのベースと透光性キャップとを固着する前の状態の一例を示す説明図である。
【図６】この発明のＬＥＤランプのベースと透光性キャップとを固着する前の状態の他の例を示す説明図である。
【図７】図５に示すこの発明のＬＥＤランプのベースと透光性キャップとを固着した後の状態を示す説明図である。
【図８】図６に示すこの発明のＬＥＤランプのベースと透光性キャップとを固着した後の状態を示す説明図である。
【図９】この発明のＬＥＤランプのベースを斜め下方から見た斜視図である。
【図１０】この発明のＬＥＤランプのベースの断面図である。
【図１１】従来のＬＥＤランプの一例を示しており、（ａ）は分解断面図、（ｂ）は組み立て完了した状態の断面図である。
【符号の説明】
【００３４】
１  ベース
１ａ  底部
１ｂ  端面
３  透光性キャップ
３ａ  端面
５ａ  金属棒
５ｂ  金属棒
６  収容空間
８  きざみ目
９  周溝
１０  パッキン
１１ａ  第一突条
１１ｂ  第二突条
１２  凹部
１３  弾性樹脂
【図１】
2007207576.tif 000003
【図２】
2007207576.tif 000004
【図３】
2007207576.tif 000005
【図４】
2007207576.tif 000006
【図５】
2007207576.tif 000007
【図６】
2007207576.tif 000008
【図７】
2007207576.tif 000009
【図８】
2007207576.tif 000010
【図９】
2007207576.tif 000011
【図１０】
2007207576.tif 000012
【図１１】
2007207576.tif 000013